(57)【要約】【課題】広い面積に泡塊を形成してより効果的に飛翔性害虫を捕捉することのできる飛翔性害虫の捕捉装置を提供する。【技術手段】泡生成液を収容した泡生成液容器７と、泡生成液による泡を生成する泡生成手段１０と、平坦な泡保持面２１と泡生成空間２４が一体に形成されるとともに泡生成空間２４と泡保持面２１側とを連通させる開口２７が形成された泡保持手段２０とにより構成され、泡保持手段２０を泡保持面２１が垂直となるように設置して、泡生成手段１０により泡生成空間２４内で生成した泡を、開口２７から泡保持面２１側に侵出させて泡保持面２１に沿って流下させることにより、垂直に設置した泡保持面２１に所定厚さの泡塊ＢＬを形成するようにしたことを特徴とする。【選択図】　　　図１
2004097193.tif 000002
【特許請求の範囲】
【請求項１】
界面活性剤を含有した泡生成液を収容した上部が開口された泡生成液容器と、平坦な泡保持面が形成されると共に該泡保持面の背面側に泡生成空間が一体に形成されるとともに、泡保持面の上部に泡生成空間と泡保持面側とを連通させる開口が形成された泡保持手段と、前記泡生成空間内で前記泡生成液による泡を生成する泡生成手段とにより構成され、前記泡保持手段を泡保持面が垂直となるように設置して、前記泡生成手段によって前記泡生成空間内で泡を生成させ、該泡を前記開口から泡保持面側に侵出させて泡保持面に沿って流下させることにより、垂直に設置した前記泡保持面に所定厚さの泡塊を形成するようにしたことを特徴とする飛翔性害虫捕捉装置。
【請求項２】
垂直に設置された前記泡保持面の前記開口の上方に、泡保持面から水平に突出させた庇板を形成し、前記開口から泡保持面に侵出した泡を該庇板により吸着させて泡保持面に所定厚さの泡塊を形成するようにしたことを特徴とする請求項１に記載の飛翔性害虫捕捉装置。
【請求項３】
前記庇板を泡保持面からの突出長さが可変調整可能に取り付け、これにより泡保持面に形成される泡塊の厚さを調整可能にしたことを特徴とする請求項２に記載の飛翔性害虫捕捉装置。
【請求項４】
前記泡保持面の下方に泡保持面に沿って流下した泡塊の下端を受け止める樋部材が形成されており、該樋部材の上面に樋部材に接触した泡塊の泡を消失又は流下させる泡消失手段が形成されていることを特徴とする請求項１乃至請求項３の何れかに記載の飛翔性害虫捕捉装置。
【請求項５】
前記樋部材が泡保持面の一側から他側に向けて傾斜状に設置されており、前記泡消失手段が該樋部材の上方から泡生成液を供給して下方へ向けて樋部材上面に泡生成液を流動させるものであることを特徴とする請求項４に記載の飛翔性害虫捕捉装置。
【請求項６】
前記泡消失手段が、前記樋部材の前端縁から泡塊の下端部へ向けて霧状又はシャワー状に泡生成液を噴霧させるものであることを特徴とする請求項４に記載の飛翔性害虫捕捉装置。
【請求項７】
泡保持手段が設置脚上に垂直に形成された支持枠に泡保持面が垂直となるように垂下支持されていることを特徴とする請求項１乃至請求項６の何れかに記載の飛翔性害虫捕捉装置。
【請求項８】
前記泡保持手段が泡生成空間を挟んでその両側に泡保持面が形成され、両面に面状の泡塊を形成するようにしたことを特徴とする請求項１乃至請求項６の何れかに記載の飛翔性害虫捕捉装置。
【請求項９】
泡保持手段の下端に前記泡生成液容器を一体に取り付け、泡保持手段の上部で壁面に取り付け可能に形成されていることを特徴とする請求項１乃至請求項６の何れかに記載の飛翔性害虫捕捉装置。
【請求項１０】
前記泡生成手段がエアポンプと該エアポンプとチューブで連結された気泡発生器から構成され、前記気泡発生器が前記泡生成空間内の泡生成液中に配置されていることを特徴とする請求項１乃至請求項９の何れかに記載の飛翔性害虫捕捉装置。
【請求項１１】
前記泡保持面に形成される泡塊を検出する泡センサを設けると共に、該泡センサの検出信号によって前記エアポンプをフル駆動と間歇駆動とに制御するタイマーを含む制御部を設けて、泡生成手段に泡生成空間内で発生される気泡の量を制御させるようにしたことを特徴とする請求項１０に記載の飛翔性害虫捕捉装置。
【発明の詳細な説明】
【０００１】
【発明の属する技術分野】
本発明は、界面活性剤を溶解させた液体により生成される泡により泡塊を形成して、ハエやアブ、蚊等の飛翔性の害虫類をこの泡塊によって捕捉して駆除する飛翔性害虫の捕捉装置に関する。
【０００２】
【従来の技術】
厨房や食品加工場等にハエが入り込んで食器類を汚したり、又は、ハエが食品に混入してしまい、人に不快感を与えることがある。また、牛舎や豚舎等においてもアブやブヨ等の害虫が入り込んで牛や豚などを刺し、病気になったり又は家畜にストレスを与えてして健康を害する原因の一つともなっている。さらに、果樹園等では、スズメ蜂等が果実を傷つけたり、その傷つけた箇所に猩々蝿やアブ等の害虫が卵を生みつけたりして、収穫に影響を与えることがある。
【０００３】ところで、これらの害虫を駆除する一般的な方法として殺虫剤を噴霧してこれらの害虫を殺虫したり、又は粘着剤によって害虫を捕捉する等の方法が知られているが、殺虫剤は厨房や食品加工場等の食品を扱う場所では使用が禁止されており、また、粘着剤による捕捉も使用場所が限定されているため、かかる場所では、ハエ等の害虫を駆除するのが困難となり衛生上の問題がある。また、牛舎やプール等は一般的に広く外部に開放されているので、殺虫剤や粘着剤による殺虫又は捕捉の方法は効果がなく、有効な飛翔性害虫の駆除技術の開発が求められていた。さらに粘着剤による害虫の捕捉方法では、粘着剤によって捕捉した後の処理が煩わしいという問題もあった。
【０００４】上記の殺虫剤や粘着剤による害虫の駆除方法に代え得る飛翔性害虫の捕捉装置として出願人は、泡によって飛翔性害虫を捕捉して駆除する装置を特願２００１−２５３６０８号として既に提案している。上記装置は、泡の生成装置によって界面活性剤を溶解させた溶液中に気泡を供給して発生した泡を塊状に維持させ、この泡塊に誘引性の光を投射する等して泡塊に寄ってきた飛翔性害虫を泡の内部に包み込んで窒息死させて捕捉するようにしたものであり、有害な成分を発散させることがなく、殺虫剤等が使用できない厨房等での使用ができ、また捕捉した害虫の処理が粘着剤による方法と比べて楽にできることから有効である。
【０００５】
【発明が解決しようとする課題】
ところで、上記従来の装置では、生成した泡を垂直に配置した円筒の外周面に保持させて泡塊を円柱状に形成しているので、牛舎や豚舎又は広い庭園や公園等においては、これらの装置を数多く設置しないと有効に飛翔性害虫を捕捉することが困難であった。本発明は、広い面積に泡塊を形成してより効果的に飛翔性害虫を捕捉することのできる泡塊による飛翔性害虫の駆除装置を提供することを課題とする。
【０００６】
【課題を解決するための手段】
上記課題を達成するため本発明の請求項１の飛翔性害虫捕捉装置は、界面活性剤を含有した泡生成液を収容した上部が開口された泡生成液容器と、平坦な泡保持面が形成されると共に該泡保持面の背面側に泡生成空間が一体に形成されるとともに、泡保持面の上部に泡生成空間と泡保持面側とを連通させる開口が形成された泡保持手段と、前記泡生成空間内で前記泡生成液による泡を生成する泡生成手段とにより構成され、前記泡保持手段を泡保持面が垂直となるように設置して、前記泡生成手段によって前記泡生成空間内で泡を生成させ、該泡を前記開口から泡保持面側に侵出させて泡保持面に沿って流下させることにより、垂直に設置した前記泡保持面に所定厚さの泡塊を形成するようにしたことを特徴とする。
【０００７】請求項２の発明は、垂直に設置された前記泡保持面の前記開口の上方に、泡保持面から水平に突出させた庇板を形成し、前記開口から泡保持面に侵出した泡を該庇板により吸着させて泡保持面に所定厚さの泡塊を形成するようにしたことを特徴とする。
【０００８】請求項３の発明は、前記庇板を泡保持面からの突出長さが可変調整可能に取り付け、これにより泡保持面に形成される泡塊の厚さを調整可能にしたことを特徴とする。
【０００９】請求項４の発明は、前記泡保持面の下方に泡保持面に沿って流下した泡塊の下端を受け止める樋部材が形成されており、該樋部材の上面に樋部材に接触した泡塊の泡を消失又は流下させる泡消失手段が形成されていることを特徴とする。
【００１０】請求項５の発明は、前記樋部材が泡保持面の一側から他側に向けて傾斜状に設置されており、前記泡消失手段が該樋部材の上方から泡生成液を供給して下方へ向けて樋部材上面に泡生成液を流動させるものであることを特徴とする。
【００１１】請求項６の発明は、前記泡消失手段が、前記樋部材の前端縁から泡塊の下端部へ向けて霧状又はシャワー状に泡生成液を噴霧させるものであることを特徴とする。
【００１２】請求項７の発明は、泡保持手段が設置脚上に垂直に形成された支持枠に泡保持面が垂直となるように垂下支持されていることを特徴とする。
【００１３】請求項８の発明は、前記泡保持手段が泡生成空間を挟んでその両側に泡保持面が形成され、両面に面状の泡塊を形成するようにしたことを特徴とする。
【００１４】請求項９の発明は、泡保持手段の下端に前記泡生成液容器を一体に取り付け、泡保持手段の上部で壁面に取り付け可能に形成されていることを特徴とする。
【００１５】請求項１０の発明は、前記泡生成手段がエアポンプと該エアポンプとチューブで連結された気泡発生器から構成され、前記気泡発生器が前記泡生成空間内の泡生成液中に配置されていることを特徴とする。
【００１６】請求項１１の発明は、前記泡保持面に形成される泡塊を検出する泡センサを設けると共に、該泡センサの検出信号によって前記エアポンプをフル駆動と間歇駆動とに制御するタイマーを含む制御部を設け、泡生成手段に泡生成空間内で発生される気泡の量を制御させるようにしたことを特徴とする。
【００１７】
【発明の実施の形態】
以下、本発明の実施形態を図面を参照して説明する。図１は本発明の飛翔性害虫捕捉装置１を示すもので、本発明の飛翔性害虫捕捉装置１により捕捉対象となる飛翔性害虫としては、ハエ、アブ、ブヨ、蚊等の小型の飛翔性昆虫からカナブン、カブト虫，カミキリ、カメムシ等の飛翔性甲虫類又は、ゴキブリ等の主に夜間に飛翔する昆虫類がある。
【００１８】図１に示すように本発明の実施例にかかる飛翔性害虫捕捉装置１は、両側に配置された設置脚２から垂直方向上方に向けて立設された側枠杆３と該側枠杆３の上端に水平に懸架された上枠杆４とで構成されている支持枠５と、前記設置脚２上に載置され泡生成液ＬＩを収容する泡生成液容器７と、前記泡生成液容器７内の泡生成液ＬＩから泡を生成させる泡生成手段１０、前記支持枠５の上枠杆４に垂下支持されるとともに泡生成手段１０により生成された泡を泡塊ＢＬとして保持する平坦な泡保持面２１が形成された泡保持手段２０と、前記泡保持面２１に形成され泡保持面２１に沿って流下する泡塊ＢＬの下方の泡を消失させるため前記泡保持面２１に形成された泡消失手段３０及び、前記支持枠５の上枠杆４の上方に取り付けられるとともに前記泡保持面２１に形成された泡塊ＢＬに飛翔性害虫を誘引する光を照射する光照射手段４０によって構成されている。前記支持枠５の設置脚２の下面にはキャスター６が取り付けられており飛翔性害虫捕捉装置１を任意の場所に移動させることができる。
【００１９】図１乃至図３に示すように、泡生成液容器７は上面が開放された容器として構成されており、前記支持枠５の両側の設置脚２間に懸架されている支持板８上に載置されている。この泡生成液容器７内には所定の深さまで泡生成用液ＬＩが収容できるようにされている。この泡生成液容器７内に入れられる泡生成用液ＬＩは、日本酒や日本酒に柿汁や牛乳又は市販の害虫誘引剤等を混合したベースとなる液体に所定量の界面活性剤を溶解させたものが使用される。また、実施例では界面活性剤としてはアニオン界面活性剤（例えば石験）等の人畜無害のものが使用されている。ベース液と界面活性剤との混合比率は、ベース液１に対して界面活性剤０．００２が適当である。また、泡生成用液を特定の飛翔性害虫が好む色に着色してもよい。
【００２０】泡生成手段１０は、両支持脚２間に架設された支持板８上に載置されているエアポンプ１１と、該エアポンプ１１から吐き出されるエアを前記泡生成液ＬＩ中に導くエアチューブ１２及び該エアチューブ１２の先端に取り付けられた気泡発生器１３とから構成されている。エアポンプ１１の吐出口に接続されたエアチューブ１２の他端側に取り付けられた気泡発生器１３を泡生成液ＬＩ中に没した状態で、エアポンプ１１を駆動しエアを気泡発生器１３に供給することにより、細かい気泡を発生させて泡が生成されるようにされている。この泡生成手段１０によって生成された泡は前記泡保持手段２０の泡保持面２１に供給されて泡保持面２１に平坦な泡塊ＢＬを形成する。
【００２１】図４に示すように、泡保持手段２０は、表面側に平坦な泡保持面２１が形成された泡保持板２２とその泡保持板２２の裏面側に間隔を隔てて貼り付けられた裏板材２３によって構成されており、泡保持板２２の裏面と裏板材２３との間に泡生成空間２４が形成されている。図５に示すように、泡保持板２２の裏面側に両側縁と上辺及び中央部を除いた下縁に沿って枠材２５が配置され、また、下縁に沿って配置された枠材２５の中央側の端部から斜め上方に広がるように傾斜枠材２５ａが配置され、これらの枠材２５、２５ａを泡保持板２２との間で挟み込むように裏板材２３が取り付けられて泡保持手段２０が構成されている。上記泡保持板２２の裏面と裏板材２３の間に下辺から上辺に向かって徐々に幅が広がった泡生成空間２４が形成されており、該泡生成空間２４の下端中央部に開口２６が形成されている。
【００２２】図１乃至図３に示すように、上記泡保持手段２０は前記支持枠５の上枠杆４に取付部材２９を介して前記泡保持面２１が垂直となるように垂下支持されており、該泡保持手段２０の下端部が前記泡生成液容器７内に収容されて、泡保持手段２０の下端部が泡生成液容器７内に入れた泡生成液中ＬＩに没するように配置され、泡生成空間２４の下端部に形成されている開口２６が泡生成液ＬＩ中に開口されている。図２及び図３に示すように、前記泡生成手段１０のエアチューブ１２の先端に取り付けられている気泡発生器１３が前記泡生成空間２４の開口２６を経由して泡生成空間２４内に配置されており、エアポンプ１１から供給されるエアが気泡発生器１３を介して前記泡生成空間２４内の泡生成液ＬＩ中に供給されて前記空間２４内で泡を生成させるようにされている。生成された泡は泡生成空間２４内の上方に向けて誘導されて泡生成空間２４内に充満する。
【００２３】泡保持面２１を形成している泡保持板２２の上辺には前記泡生成空間２４内と泡保持面２１側を貫通した開口２７が泡保持板２２の幅方向に沿って形成されており、泡生成空間２４内で充満した泡がこの開口２７から泡保持面２１側へ侵出できるようにされている。更に泡保持板２２の泡保持面２１には上記開口２７の上方に泡保持面２１から水平方向に突出させた庇板２８が前記開口２７の幅方向に沿って取り付けられており、この庇板２８により前記開口２７から泡保持板２２の泡保持面２１に侵出してくる泡塊ＢＬを上面側から吸着保持して、泡保持面２１に形成される泡塊ＢＬが一定の厚さに形成される。
【００２４】前記開口２７から泡保持板２２の泡保持面２１側に侵出した泡は、開口２７の上方に形成されている庇板２８に吸着されてここに泡塊ＢＬが形成される。この泡塊ＢＬは開口２７から続けて供給されてくる泡によって大きく成長し、泡塊ＢＬの厚さが庇板２８の突出長さに応じた厚さとなった後は、重力によって垂直な泡保持面２１に沿って下方へゆっくりと流下する。これにより、庇板２８の突出長さに対応した厚さの泡塊ＢＬが泡保持面２１の表面に沿って形成される。泡保持面２１に形成される泡塊ＢＬの厚さは捕捉する飛翔性害虫の大きさや種類に応じて任意に設定する。
【００２５】上記実施例では所定の突出長さに設定された庇板２８を泡保持面２１に形成して、庇板２８の突出長さに応じた一定の厚さの泡塊ＢＬを泡保持面２１に形成させるようにしているが、突出長さの異なった庇板２８を選択的に泡保持面２１に取り付けることにより泡の厚さを調整できるようにしてもよい。更に、図６及び図８に示す別の実施例に示すように、泡保持面２１に形成されている取付片５１、５１ａに対して断面がコ字形に形成された庇片５２又は断面がＬ字形に形成された庇片５２ａを長穴５３、５３ａを介してネジ５４、５４ａにより取り付けられるように構成し、図６（ａ）、図８（ａ）に示す位置から図６（ｂ）、図８（ｂ）に示す位置の間で庇片５２、５２ａを任意の位置に固定できるようにしてもよい。これらの実施例によれば、図７及び図９に示すように、この庇片５２、５２ａの取り付け位置を調整することによって泡保持面２１に形成される泡塊ＢＬの厚さを任意に変更することが可能となる。
【００２６】上記実施例の泡保持手段２０の泡保持面２１を形成している泡保持板２２は、人工大理石等の泡保持面２１側が美称的な意匠の施された材料が使用されている。これによって装置を使用しない昼間等でも周囲に違和感を生じないようにしている。更に、この泡保持面２１は泡保持面２１に沿って泡塊ＢＬが流下する速度を適度にするように表面粗度が適度に形成されている。この泡保持面２１の表面粗度を適度に設定できない場合には、泡保持面２１に適度の表面粗度の調整部材を貼り付ける等により泡保持面を形成するようにしてもよい。更に、風等により泡保持面２１の泡塊ＢＬが吹き飛ばされたり又は横方向に移動しないように垂直方向の縦リブを泡保持面２１に所定間隔で形成してもよい。
【００２７】前記泡保持板２２の泡保持面２１側の下方には泡保持面２１に形成されて徐々に下側へ流下した泡塊ＢＬの泡を消失させる泡消失手段３０が形成されている。図１乃至図３に示す実施例の泡消失手段３０は、泡保持面２１に沿って流下してくる泡塊ＢＬを泡保持面２１の下部で受け止める樋部材３１と、この樋部材３１の上面に泡生成液ＬＩを流動させるための液体ポンプ３２によって構成されている。該樋部材３１は泡保持板２２の一方の側縁から他方の側縁にかけて緩く傾斜した状態で泡保持面２１に取り付けられており、これによって泡保持面２１に沿って流下した泡塊ＢＬの下端が受け止められるようにしている。更に液体ポンプ３２により前記泡生成液容器７内の泡生成液ＬＩが吸引されて、ポンプ３２から吐出される泡生成液ＬＩがチューブ３３により前記樋部材３１の一側に供給されて、樋部材３１上に上方側から下方側へ泡生成液ＬＩの流れが形成されるようにしている。樋部材３１によって受け止められた泡塊ＢＬが樋部材３１上を流動する泡生成液ＬＩによって泡が消失させられると共に樋部材３１上を下流側に向けて流動されて泡が消失される。
【００２８】このように、泡保持面２１上に形成された泡塊ＢＬが泡保持面２１に沿って徐々に流下して、泡保持面２１の下端まで流下した泡塊ＢＬを、泡保持面２１の下端部で泡塊ＢＬを積極的に消失させたり又は流動させるようにすることによって、泡塊ＢＬが泡生成液容器７内まで流下して泡生成液容器７内に泡が充満してしまうことが防止でき、更に、泡保持面２１に沿って流下してくる時間の経過によって捕虫力が弱くなった泡を積極的に消失させ、泡保持面２１に補虫力の強い新らしい泡による泡塊ＢＬを形成させることができる
【００２９】上記実施例では、支持枠５の設置脚２上に設置した液体ポンプ３２により泡生成液容器７内から吸引した泡生成液ＬＩをチューブ３３を介して傾斜して配置した樋部材３１の上流側に供給し、泡生成液ＬＩを樋の上辺から下辺にかけて流動させて泡を消失させたり樋部材３１に沿って泡を流失させるようにしているが、図８に示す他の実施例のように、泡保持面２１の表面から所定距離離れたノズル３４を泡保持面２１の幅方向に沿って形成し、該ノズル３４により泡生成液ＬＩを霧状又はシャワー状にして泡塊ＢＬの下端部に向けて噴射させて泡保持面２１の下端まで流下した泡塊ＢＬの泡を消失させるようにしてもよい。
【００３０】更に、本実施例の飛翔性害虫捕捉装置１には、泡保持手段２０の泡保持面２１に形成された泡塊ＢＬに特定波長の光を照射して飛翔性害虫を泡塊ＢＬに誘引する光照射手段４０が設けられている。光照射手段４０は、前記支持枠５の上枠杆４に取付部材４１を介して取り付けられている枠体４２の下面側に取付具４３を介して保持されている蛍光灯４４により構成されている。蛍光灯４４は、例えばハエやアブ等の飛翔性害虫が敏感に反応する３００〜４００ｎｍの波長の光を発光する蛍光灯等の捕捉する害虫の種類に応じた任意の光源を選択することができる。このように光照射手段４０を設けて泡塊ＢＬに光を照射することによって、泡塊ＢＬ全体が光り輝いてこの光に飛翔性害虫が誘引されてより効果的に飛翔性害虫を捕捉することが可能となる。
【００３１】前述の泡生成手段１０には、エアポンプ１１から気泡発生器１３に供給されるエアの流量を調整する調整機構を設けることができる。調整機構は、エアポンプ１１から気泡発生器１３に至るチューブ１２の途中に調整可能な絞り弁等の流量調整弁を形成したり、又は、エアポンプ１１をタイマによって間歇的に駆動させるように構成することができ、泡保持手段２０の泡生成空間２４内で生成される泡の量を調整することが可能となる。生成される泡の量が多すぎると、泡消失手段３０による泡保持面２１に形成された泡塊ＢＬの泡の消失作用が間に合わなくなり、泡保持面２１上で泡塊ＢＬが膨大になって樋部材３１から泡生成液容器７内にこぼれ落ちて泡生成液容器７内が泡であふれてしまうことになるため、前記調整機構によって泡塊ＢＬが泡保持面２１に均一に形成されているように泡の生成量を調整する。
【００３２】上記のように泡塊ＢＬが泡保持面２１に一定に形成されるように泡の泡生成手段１０による生成量を調整してしまうと、初期作動時に泡保持面２１に泡塊ＢＬが形成されるまでの時間が長く掛かってしまうことになる。図１１に示す別の実施例では、泡と接触することによって泡を介して流れる微弱電流を検出する一対の泡センサ１４を泡保持面２１に形成するとともにこの泡センサ１４の検出信号によってエアポンプ１１の運転を切り替えるようにエアポンプ１１を制御する制御部１５を備えている。該制御部１５は泡保持面２１に泡塊が形成されていない作動初期にはエアポンプ１１をフル駆動させて大量に泡を生成させるようにし、泡保持面２１に泡塊ＢＬが形成されてこれを前記センサ１４が検出すると、この検出信号によってエアポンプ１１をタイマーによる間歇運転させるようにエアポンプ１１の運転を制御するようにしている。
【００３３】このように泡保持面２１に泡センサ１４を形成して泡センサ１４の泡検出信号によりエアポンプ１１の運転を切り替えるようにすることにより、泡保持面２１に泡塊ＢＬが形成されていない飛翔性害虫捕捉装置１の作動初期において泡保持面２１に泡塊ＢＬを素早く形成させることができ、更に、風や大きな甲虫等によって泡保持面２１に形成されている泡塊ＢＬが破壊された場合にもエアポンプ１１をフル駆動に切り替えるので素早く泡塊ＢＬの補てんを行うことができる。
【００３４】上記実施例による飛翔性害虫捕捉装置１では、泡保持手段２０の片面に平坦な泡保持面２１を形成しているが、図１２に示す別の実施例の飛翔性害虫捕捉装置１ａでは、泡保持手段２０ａが、泡生成空間２４を形成する枠材２５の両側に泡保持板２２を配置させて、両泡保持板２２の外側面にそれぞれ平坦な泡保持面２１を形成し、この泡保持手段２０ａを支持枠５の上枠杆４に垂下支持させるようにして泡保持手段２０ａの両面の泡保持面２１に面状の泡塊ＢＬを形成させ、泡塊ＢＬに誘引性の光を照射する蛍光灯４４を支持枠５の両面に設置して両面の泡塊ＢＬに光を照射できるようにしている。このように両面に泡保持面２１を形成した装置では、庭園や果樹園等の広い場所の中央に設置することによって、より広範囲の飛翔性害虫を効果的に捕捉することが可能である。
【００３５】また、前述の実施例による飛翔性害虫捕捉装置１では、垂直な泡保持面２１が形成された泡保持手段２０を設置脚２上に立設させた支持枠５に垂直に垂下支持させて構成し、支持脚２を介して地面又は床面等に設置するようにしているが、図１３に示す別の実施例による飛翔性害虫捕捉装置１ｂのように、垂直な泡保持面２１と泡生成空間２４を形成した泡保持手段２０の下端部に、該保持手段２０の下端部が収容されるように泡生成液容器７を一体に取り付けて、該保持手段２０の上部に形成した取り付け穴５５を壁面Ｗ等に形成した釘やピン５６等に掛け止めることによって、壁面Ｗに取り付けて使用できるようにしてもよい。この場合、泡塊ＢＬに光を照射する蛍光灯４４を保持している枠体４２も泡保持手段２０の上端に直接取り付けるようにする。更に泡生成手段１０を構成するエアポンプ１１も上記枠内４２に収容するようにしてもよい。このように飛翔性害虫捕捉装置１ｂを壁掛けタイプに構成することによって、畜舎の壁面や柵又はフェンス等に本装置を設置することができ、通行や作業の邪魔になったりすることが避けられる。
【００３６】以下、上記実施例の飛翔性害虫捕捉装置１による飛翔性害虫を捕捉する作用を説明する。上記実施例の飛翔性害虫捕捉装置１を用いて飛翔性害虫を捕捉・駆除する場合には、まず、泡生成液容器７内に泡生成液ＬＩを入れた本装置１を飛翔性害虫が出没する例えば牛舎や豚舎等の家畜のいる所、果樹園等の農場、及び露天風呂やプール等の平坦な地面又は床面に支持枠５の設置脚を設置する。図１３に示す実施例のように本装置１を壁掛けタイプに形成した場合には上記の様な場所の壁面や柵又はフェンス等に取り付ける。
【００３７】泡生成手段１０を構成しているエアポンプ１１に商用電源を通電してエアポンプ１１を駆動させると、エアがチューブ１２を介して泡生成空間２４内に配置されている気泡発生器１３に供給され、該気泡発生器１３から泡生成空間２４内の泡生成液中ＬＩに気泡を発生させる。気泡発生器１３から生成液中ＬＩで発生される微細な気泡によって泡生成空間２４内で大量の泡が連続的に生成され、この泡が泡生成空間２４内に充満する。
【００３８】泡生成空間２４内に充満した泡は泡生成空間２４の上方に形成されている開口２７から泡保持面側２１に侵出されて上記開口２７の上方に形成されている庇板２８に吸着保持されて該庇板２８の下面側に所定厚さの泡塊ＢＬが形成され、この泡塊ＢＬが泡保持面２１に沿ってゆっくりと流下して泡保持面２１に面状の泡塊ＢＬが形成される。泡保持面２１に形成された面状の泡塊ＢＬに蛍光灯による光が照射されて泡塊ＢＬ全体が白く輝き、光を好む飛翔性害虫を泡塊ＢＬに誘引する。光をめがけて飛翔してきた蚊やハエ等の害虫が泡塊ＢＬの中に飛び込んで、界面活性剤の作用により羽根が濡れて飛ぶことができなくなり、更に気門に泡生成液が入り込んで呼吸ができなくなって窒息死してしまう。
【００３９】このように、泡塊ＢＬによって捕捉された飛翔性害虫は、泡塊ＢＬの流下に伴って流下して樋部材３１によって受け止められ、この樋部材３１上に供給されている泡生成液ＬＩの流れによって下流側に流されて泡生成液容器７内に溜められる。窒息死して泡生成液容器７内に溜まった飛翔性性害虫の死骸は、泡生成液容器７内に残っている泡生成液ＬＩごと廃棄処分等すればよく、後始末も簡単にかつ衛生的に行える。
【００４０】
【発明の効果】
上記のように、請求項１に記載した本発明によれば、界面活性剤を溶解した泡生成液ＬＩにより形成される泡塊ＢＬにより、この泡塊ＢＬに接触した飛翔性害虫を捕捉するようにしているので、従来の殺虫剤や粘着剤などが使用できない場所に設置できこれらの場所で効果的に飛翔性害虫を捕捉することが可能となる。更に、本発明の飛翔性害虫捕捉装置１によれば、平坦な泡保持面２１を形成した泡保持手段２０を垂直に設置して、この垂直な泡保持面２１に面状の泡塊ＢＬを形成するようにしているので、害虫を捕捉する泡塊ＢＬを広い面積に形成することができ、畜舎や公園等の広い場所において効果的に飛翔性害虫を捕捉することができる。
【００４１】請求項２の発明によれば、垂直に設置された前記泡保持面２１の前記開口２７の上方に、泡保持面２１から水平に突出させた庇板２８を形成しているので、前記開口２７から泡保持面２１に侵出した泡を該庇板２８により吸着させて所定厚さの泡塊ＢＬに形成し、垂直に設置されている泡保持面２１にほぼ均等の厚さの泡塊ＢＬを形成させることができ、泡保持面２１のほぼ全面で効果的に飛翔性害虫を捕捉することができる。
【００４２】請求項３の発明によれば、前記庇板２８を泡保持面２１からの突出長さが可変調整可能に取り付け、これにより泡保持面２１に形成される泡塊ＢＬの厚さを調整可能にしているので、泡保持面２１に形成される泡塊ＢＬの厚さを捕捉する飛翔性害虫の大きさや種類に応じて調整することができ、対象の害虫の範囲を大きくすることができる。
【００４３】請求項４の発明によれば、前記泡保持面２１の下方に泡保持面２１に沿って流下した泡塊の下端を受け止める樋部材３１を形成し、該樋部材３１の上面に樋部材３１に接触した泡塊ＢＬの泡を消失又は流下させる泡消失手段３０が形成されているので、時間の経過に伴って捕捉力が低下した泡を積極的に消失させたり又は泡を下流側へ流失させ、泡保持面２１には常時補虫力の強い新しい泡による泡塊を形成させることができ、泡塊による飛翔性害虫の捕捉力が低下してしまうことがない。
【００４４】請求項５及び請求項６の発明によれば、前記樋部材３１が泡保持面の一側から他側に向けて傾斜状に設置されており、前記泡消失手段３０が該樋部材３１の上方から泡生成液ＬＩを供給して下方へ向けて樋部材３１上面に泡生成液ＬＩを流動させるようにしているので、泡塊ＢＬによって捕捉された飛翔性害虫を泡と一緒に樋部材３１上を流して泡生成液容器内７に集めることができ、死骸の処理が容易にできる。
【００４５】請求項７の発明によれば、泡保持手段２０がキャスター６を取り付けた設置脚２上に垂直に形成された支持枠５により、泡保持面２１が垂直となるように垂下支持されているので、地面や床面に設置して使用することができ、設置場所の変更や使用しないときの移動が容易に行える。
【００４６】請求項８の発明によれば、前記泡保持手段２０ａが泡生成空間２４を挟んでその両側に泡保持面２１が形成され、両面に面状の泡塊ＢＬを形成するようにしているので、両面側で飛翔性害虫を捕捉することができ、広い場所でより効果的に飛翔性害虫を捕捉することが可能となる。
【００４７】請求項９の発明によれば、泡保持手段２０の下端に前記泡生成液容器７を一体に取り付け、泡保持手段２０の上部で壁面に取り付け可能に形成されているので、地面や床面に設置できない場合や人の通行や作業の障害となるような場合に、壁やフェンス等に設置でき設置場所も取らず邪魔にならないで使用することができる。
【００４８】請求項１０の発明によれば、前記泡生成手段１０がエアポンプ１１と該エアポンプ１１とチューブ１２で連結された気泡発生器１３から構成され、前記気泡発生器１３を前記泡生成空間２４内の泡生成液中ＬＩに配置しているので、泡生成時の騒音が小さく且つ電力消費も少なく更に泡生成手段１０を安価に製造することができる。
【００４９】請求項１１の発明によれば、泡保持面２１に泡センサ１４を設けると共に、該泡センサ１４の検出信号によって前記エアポンプ１１を制御する制御部１５を設けているので、装置の作動初期に泡保持面２１に泡塊ＢＬを素早く形成させることができ、また、風などによって泡塊ＢＬが破壊されてしまった場合にも迅速に泡塊ＢＬの補てんを行うことができる。
【図面の簡単な説明】
【図１】本発明の実施例にかかる飛翔性害虫捕捉装置を示す斜視図。
【図２】図１と同じ飛翔性害虫捕捉装置の正面図。
【図３】図１と同じ飛翔性害虫捕捉装置の縦断側面図。
【図４】図１の飛翔性害虫捕捉装置の泡保持手段を示す斜視図。
【図５】図４と同じ泡保持手段の構成を示す分解斜視図。
【図６】庇板の別の実施例を示す部分斜視図であり、（ａ）は庇片の突出量が最小になるように設定した状態、（ｂ）は庇片の突出量を最大に設定した状態を示す。
【図７】図６の実施例による泡塊の厚さを調整した状態を示す縦断側面図。
【図８】庇板の更に別の実施例を示す部分斜視図であり、（ａ）は庇片の突出量が最小になるように設定した状態、（ｂ）は庇片の突出量を最大に設定した状態を示す。
【図９】図８の実施例による泡塊の厚さを調整した状態を示す縦断側面図。
【図１０】泡消失手段の別の実施例を示す縦断側面図。
【図１１】泡生成量の調整機構を実施した飛翔性害虫捕捉装置を示す縦断側面図。
【図１２】本発明の別の実施例による飛翔性害虫捕捉装置の縦断側面図。
【図１３】本発明の更に別の実施例による飛翔性害虫捕捉装置の縦断側面図。
【符号の説明】
１　飛翔性害虫捕捉装置
５　支持枠
７　泡生成液容器
１０　泡生成手段
１１　エアポンプ
１２　エアチューブ
１３　気泡発生器
１４　泡センサ
１５　制御部
２０　泡保持手段
２１　泡保持面
２２　泡保持板
２４　泡生成空間
２６　開口
２７　開口
２８　庇板
３０　泡消失手段
３１　樋部材
３２　液体ポンプ
４０　光照射手段
４４　蛍光灯
【図１】
2004097193.tif 000003
【図２】
2004097193.tif 000004
【図３】
2004097193.tif 000005
【図４】
2004097193.tif 000006
【図５】
2004097193.tif 000007
【図６】
2004097193.tif 000008
【図７】
2004097193.tif 000009
【図８】
2004097193.tif 000010
【図９】
2004097193.tif 000011
【図１０】
2004097193.tif 000012
【図１１】
2004097193.tif 000013
【図１２】
2004097193.tif 000014
【図１３】
2004097193.tif 000015